(57)【要約】【課題】サムターン軸とデッドカムとの整合度を向上させ、しかも錠箱の振れ止めも兼ねるサムターン連結機構を提供する。【解決手段】カム支持部材１４の凹陥部に錠箱１の外側から段付の連結プラグ１５の小径部を嵌合させ、これに一対の装着杆２１、２１を水平にさしとおして連結プラグ１５を錠箱１に係止し、一方、連結プラグの大径部に形成された雄ねじ部に調整カップ２４を螺合させ、これらの螺合度を調整することにより調整カップ２４の底面を扉外板２５の内面に接触させ、この状態で、室内側から、取付ねじ１２、１２により連結プラグ１５を扉外板２５に呼び付けて固定する。【選択図】  図２
2004238938.tif 000002
【特許請求の範囲】
【請求項１】
錠箱内において、カップ状部分を有する一対のカム支持部材の間にデッドカムを挟んでこれを回動可能に支承し、各カム支持部材の凹陥部を外側に向けて固定したものにおいて、錠箱側面の室内側の開口を挿通して錠箱内に挿入され、カム支持部材の凹陥部と嵌合する小径部を有する段付の連結プラグを設け、この連結プラグを、小径部及び錠箱を水平に貫通する少なくとも２本の装着杆を介して錠箱に係止すると共に、内端にデッドカムと係合する異形軸を、外端にクラッチ孔を夫々形成したサムターン軸をこの連結プラグに同軸かつ回動可能に支承し、一方、連結プラグの大径部外周面に雄ねじ部を形成すると共に、大径部の外面に少なくとも１個の取付雌ねじ孔を形成し、他方、連結プラグの雄ねじ部に、カップ状で内側に雌ねじ部を形成した調整カップを螺合させ、この調整カップの底面中央に、サムターンの内端が挿通する連結孔を開口させると共に、この連結孔の周辺に、連結プラグの取付雌ねじ孔と整合可能な複数のねじ挿通孔を同一円上に開口させ、調整カップの底面が扉外板の内面に接する状態で、扉外板に取付雌ねじ孔と同軸に開口した外側ねじ挿通孔、及び連結プラグのねじ挿通孔を挿通して内端部が取付雌ねじ孔と螺合する取付ねじにより、連結プラグ及び調整カップを扉外板に呼び付けるようにねじ止めすることを特徴とする錠箱のサムターン取付機構。
【請求項２】
錠箱内において、カップ状部分を有する一対のカム支持部材の間にデッドカムを挟んでこれを回動可能に支承し、各カム支持部材の凹陥部を外側に向けて固定したものにおいて、錠箱側面の室内側の開口を挿通して錠箱内に挿入され、カム支持部材の凹陥部と嵌合する小径部を有する段付の連結プラグを設け、この連結プラグを、小径部及び錠箱を水平に貫通する少なくとも２本の装着杆を介して錠箱に係止すると共に、内端にデッドカムと係合する異形軸を、外端にクラッチ孔を夫々形成したサムターン軸をこの連結プラグに同軸かつ回動可能に支承し、一方、連結プラグの大径部外周面に雄ねじ部を形成すると共に、大径部の外面に少なくとも１個の取付雌ねじ孔を形成し、他方、連結プラグの雄ねじ部に、カップ状で内側に雌ねじ部を形成した調整カップを螺合させ、この調整カップの底面中央に、サムターンの内端が挿通する連結孔を開口させると共に、この連結孔の周辺に、連結プラグの取付雌ねじ孔と整合可能な複数のねじ挿通孔を同一円上に開口させ、調整カップの底面が扉外板の内面に接する状態で、サムターン台座、扉外板に取付雌ねじ孔と同軸に開口した外側ねじ挿通孔、及び連結プラグのねじ挿通孔を挿通して内端部が取付雌ねじ孔と螺合する取付ねじにより、連結プラグ及び調整カップを扉外板に呼び付けるようにねじ止めすることを特徴とする錠箱のサムターン取付機構。
【発明の詳細な説明】
【０００１】
【発明が属する技術分野】
この発明は、錠箱のサムターン連結機構（以下単に連結機構という）に係り、特に、錠箱の振れ止めも兼ねた連結機構に関する。
【０００２】
【従来の技術】
通常、錠箱は、例えば図１に示すように、錠箱１に回動自在に支承され、デッドボルト２のフロント板３からの出没を制御するデッドカム４を有し、このデッドカム４は、その室外側の開口に嵌挿されるテールピース５を介してシリンダ錠６に連結されると共に、室内側の開口に嵌挿されるサムタ―ン軸７を介して、このサムタ―ン軸７と一体あるいは一体的に結合されたサムタ―ン８にも連結され、室内および室外から操作される。
【０００３】
そして、シリンダ錠６を扉９の外面に装着するには、通常、サムタ―ン８を回動自在に支承したサムタ―ン台座１１、錠箱１および扉９を貫通する一対の取り付けねじ１２，１２により、シリンダ錠６を室内側から呼びつけるようにして固定する。このとき、同時にサムタ―ン台座１１も固定されることは勿論である。
【０００４】
なお、上記サムタ―ン軸７および取り付けねじ１２，１２と扉９との干渉を避けるため、扉９にはこれを貫通する連絡孔が開口しており、図１においては、この連絡孔１３と錠箱１の側板との交線を２点鎖線の円で示す。
【０００５】
【発明が解決しようとする課題】
上記した構造の従来の連結機構においては、サムターン８は扉９に支持され、錠箱１はフロント板３を介して扉９の自由側端縁にねじ止めされるから、夫々取付基準が異なることになり、しばしばデッドカム４とサムターン軸７の回転軸線が整合せず、この場合、サムターンを円滑に回動させることができない。或いは、サムターン８と錠箱１の取付の際、煩雑な調整作業を必要とする。
【０００６】
また、錠箱１の取付は、フロント板３を扉９の自由側端縁にねじ止めするだけであるから、長期間の使用による経年変化、衝撃等により錠箱が左右に振れることがあり、この場合デッドカム４がサムターン軸７と抉ったりすると作動不良が生じる、等未だ改良の余地がある。
【０００７】
この発明は、サムターン軸とデッドカムの中心軸線を整合させることが容易であり、しかも、錠箱の振れ止めの機能をも備えた連結機構を提供することを目的としている。
【０００８】
【課題を解決するための手段】
上記の目的を達成するため、請求項１に記載の発明は、錠箱内において、カップ状部分を有する一対のカム支持部材の間にデッドカムを挟んでこれを回動可能に支承し、各カム支持部材の凹陥部を外側に向けて固定したものにおいて、錠箱側面の室内側の開口を挿通して錠箱内に挿入され、カム支持部材の凹陥部と嵌合する小径部を有する段付の連結プラグを設け、この連結プラグを、小径部及び錠箱を水平に貫通する少なくとも２本の装着杆を介して錠箱に係止すると共に、内端にデッドカムと係合する異形軸を、外端にクラッチ孔を夫々形成したサムターン軸をこの連結プラグに同軸かつ回動可能に支承し、一方、連結プラグの大径部外周面に雄ねじ部を形成すると共に、大径部の外面に少なくとも１個の取付雌ねじ孔を形成し、他方、連結プラグの雄ねじ部に、カップ状で内側に雌ねじ部を形成した調整カップを螺合させ、この調整カップの底面中央に、サムターンの内端が挿通する連結孔を開口させると共に、この連結孔の周辺に、連結プラグの取付雌ねじ孔と整合可能な複数のねじ挿通孔を同一円上に開口させ、調整カップの底面が扉外板の内面に接する状態で、扉外板に取付雌ねじ孔と同軸に開口した外側ねじ挿通孔、及び連結プラグのねじ挿通孔を挿通して内端部が取付雌ねじ孔と螺合する取付ねじにより、連結プラグ及び調整カップを扉外板に呼び付けるようにねじ止めすることを特徴とする。
【０００９】
また、請求項２に記載の発明は、錠箱内において、カップ状部分を有する一対のカム支持部材の間にデッドカムを挟んでこれを回動可能に支承し、各カム支持部材の凹陥部を外側に向けて固定したものにおいて、錠箱側面の室内側の開口を挿通して錠箱内に挿入され、カム支持部材の凹陥部と嵌合する小径部を有する段付の連結プラグを設け、この連結プラグを、小径部及び錠箱を水平に貫通する少なくとも２本の装着杆を介して錠箱に係止すると共に、内端にデッドカムと係合する異形軸を、外端にクラッチ孔を夫々形成したサムターン軸をこの連結プラグに同軸かつ回動可能に支承し、一方、連結プラグの大径部外周面に雄ねじ部を形成すると共に、大径部の外面に少なくとも１個の取付雌ねじ孔を形成し、他方、連結プラグの雄ねじ部に、カップ状で内側に雌ねじ部を形成した調整カップを螺合させ、この調整カップの底面中央に、サムターンの内端が挿通する連結孔を開口させると共に、この連結孔の周辺に、連結プラグの取付雌ねじ孔と整合可能な複数のねじ挿通孔を同一円上に開口させ、調整カップの底面が扉外板の内面に接する状態で、サムターン台座、扉外板に取付雌ねじ孔と同軸に開口した外側ねじ挿通孔、及び連結プラグのねじ挿通孔を挿通して内端部が取付雌ねじ孔と螺合する取付ねじにより、連結プラグ及び調整カップを扉外板に呼び付けるようにねじ止めすることを特徴とする。
【００１０】
【実施例】
以下、この発明の実施例を図２乃至図６を参照して説明する。
図２において符号１４はカム支持部材を示し、このカム支持部材１４は図示のようにカップ状部分を有している。
【００１１】
本出願人が製造販売しているある種の錠箱においては、一対のカム支持部材１４、１４の間に、これもカップ状部分を有するデッドカム４、４を挟んでこれを回動可能に支承すると共に、カム支持部材１４の凹陥部を外側に向けた状態で、一対のカム支持部材１４、１４を錠箱１内に固定している。
【００１２】
通常、デッドカム４は室外側（図２で下側）のものと、室内側のものとに分割されており、室外側のデッドカム４は前記シリンダ錠のテールピース５（図１参照）に、室内側のデッドカム４はサムターン軸７に連係されている。なお、これらの構造は周知であるから、更に詳細な説明は省略する。
【００１３】
本発明における連結機構においては、図２に示すように、室内側のデッドカム４は連結プラグ１５を介してサムターンに連係されている。
【００１４】
この連結プラグ１５は、図２乃至図４に示すように、錠箱側面の室内側の開口を挿通して錠箱１内に挿入され、室内側のカム支持部材１４の凹陥部と嵌合する小径部１６と、外周面に雄ねじ部を形成した大径部とを軸線方向において連設してなる。
【００１５】
また、この連結プラグ１５の小径部には、図３及び図４に示すように、中心軸線に関して上下対称に取付耳片１８、１８が一体に突設されており、各耳片１８を装着杆孔１９が水平に貫通している。
【００１６】
そして、図２に示すように、小径部１６をカム支持部材の凹陥部に嵌合させた状態で、錠箱のフロント板３、カム支持部材、取付耳片１８及び錠箱の背板を水平に貫通する一対の装着杆２１、２１により、連結プラグ１５は錠箱１に係止される。
【００１７】
更にまた、連結プラグ１５にはその軸線に沿って内外に分割された付番しない収納洞が形成されていて、外側（図２で下側）の収納洞にはデッドカム４と係合する（通常は断面十字形の）断面異形軸（サムターン軸７）が、外側の収納洞にはクラッチ孔（図１参照）を形成した短筒が、相互に一体に結合された状態で、連結プラグ１５と同軸に、かつ回動可能に支承されて収納されている。
【００１８】
ちなみに、図２に示すものは、サムターン軸７を段付にして、例えばＣリング等の止め輪２２により抜け止めを施している。
【００１９】
一方、上記した通り、連結プラグ１５の大径部１７の外周面には雄ねじ部が、外面には少なくとも１個（図示の実施例では一対）の取付雌ねじ孔２３（図４参照）が形成されている。
【００２０】
また、連結プラグの大径部には、図２に示すように、室内側からカップ状の調整カップ２４が螺合され、その連結プラグとの螺合量を調節して、後に述べるように、調整カップの底面が扉外板２５の内面に接する状態で連結プラグ１５と共に固定される。
【００２１】
なお、ここで扉外板とは、例えばサッシ扉の場合には、錠箱を収納する空間を挟んで一体的に結合された板材の一対の一方をいい、室内側の扉外板と、室外側の扉外板とがある。
【００２２】
図２においては、この扉外板２５は鎖線で示されており、厚みが無い如くであるが、実際には板材の厚みがあり、図ではそれを省略して線で示している。
【００２３】
また、一枚板からなる木製の扉では、通常、錠箱を収納する収納洞を扉の自由側端縁側からのみで掘り込むのだが、この場合における扉外板とは、収納洞を形成する扉実体部であると定義する。
【００２４】
他方、前記調整カップ２４は、図５及び図６に示すように、全体の形状がカップ状で、その内周面には雌ねじ部２６が形成されており、この雌ねじ部２６は、上記したように、連結プラグの大径部と螺合できる。
【００２５】
また、調整カップ２４の底面中央には、サムターンの内端部が挿通される連結孔２７が開口しており、更にまた、この連結孔２７の周辺には、連結プラグの外面に形成された取付雌ねじ孔２３と整合可能な複数のねじ挿通孔２８、２８が同一円上に開口している。
【００２６】
なお、ここでねじ挿通孔２８、２８が取付雌ねじ孔２３と整合可能であるということは、取付雌ねじ孔２３、２３の中心を通る円と、ねじ挿通孔２８、２８が開口している円とが同一の直径を有する、という意味である。
【００２７】
ちなみに、図示の実施例では、図６に示すように、ねじ挿通孔２８、２８が円周方向に伸びる長円になっており、そのため、調整カップ２４による調整量を正確にすることができる。
【００２８】
上記のように構成された請求項１に記載の発明の一実施例による連結機構は、図２に示すように、連結プラグの小径部１６をカム支持部材１４の凹陥部に嵌合させた状態で、前記したように装着杆２１、２１により錠箱及び小径部１６を差し通すようにして、連結プラグ１５を錠箱１に固定する。なお、この作業は錠箱１を扉９から外した状態で行う。
【００２９】
次いで、連結プラグの大径部１７に調整カップ２４を螺合させ、これらの螺合量を調節して、調整カップ２４の底面（の外面）が扉外板２５の内面に接触するようにする。
【００３０】
なお、この作業も錠箱を扉９から取り外した状態で行い、例えば、錠箱の室内側の側板に図示しない治具を装着し、調整カップ２４の底面の外面が錠箱の側板から所定の距離になるように調整カップを回して調節する。
【００３１】
或いは、錠箱の室外側の側板に図示しない治具を装着し、この治具により錠箱の室外側の側板と室外側の扉外板の内面との距離が所定の値になるように設定し、その後錠箱を実際に扉内空間に一部挿入して、調整カップ２４を回してその底面が室内側の扉外板の内面に接触するように調節する。
【００３２】
調整カップ２４による調整作業が完了したら、その侭の状態で錠箱を扉９の自由側端縁の開口から扉内空間に挿入し、先ずフロント板３を扉の自由側端縁にねじ止めする。
【００３３】
次いで、図２に示すように、室内側からサムターン駆動箱２９を扉外板２５の外面に当て、サムターン軸７と同様の異形断面軸を有するカプラー３１を扉外板の開口、及び調整カップの連結孔２７（図６参照）を挿通してサムターン軸７のクラッチ孔に係合させる。
【００３４】
そして、上記サムターン駆動箱２９の底面の開口、扉外板に取付雌ねじ孔２３（図４参照）と同軸に開口した外側ねじ挿通孔（図示せず）及び連結プラグのねじ挿通孔２８（図６参照）を挿通して内端部が取付雌ねじ孔２３と螺合する取付ねじ１２、１２により、連結プラグ１５及び調整カップ２４を扉外板に呼び付けるようにねじ止めする。
【００３５】
図示の実施例では、調整カップ２４の回動による調整量は、概ねその雌ねじ部のリードの１／４毎に段階的に行われるが、ねじ挿通孔２８が円周方向に長い長穴となっているので、更に細かい調整が可能である。
【００３６】
なお、図示の実施例におけるサムターン駆動箱２９は、サムターンを電磁アクチュエータによって遠隔操作するためのもので、そのため取付ねじ１２はサムターン駆動箱２９の底面を扉外板に固定する。
【００３７】
しかしながら、通常は図１に示すような手指によってサムターンを操作するから、この場合、請求項２に記載の発明のように、サムターン台座１１を扉外板にねじ止めする形態になることは勿論である（図示せず）。
【００３８】
【発明の効果】
以上の説明から明らかなように、請求項１、２に記載の発明は、サムターン軸を同軸に支承した連結プラグの小径部をデッドカムを回転可能に支承したカム支持部材の凹陥部に嵌合させたから、デッドカムとサムターン軸の回転軸線を精度良く整合させることができ、錠箱装着時に調整をしなくてもサムターンを円滑に回動させることができる。
【００３９】
また、錠箱は、これに固定された連結プラグを介して、室内側の扉外板に呼び付けられるように固定されるので、錠箱に効果的に振れ止めを施すことができる、等種々の効果を奏する。
【図面の簡単な説明】
【図１】従来のサムタ―ン取り付け機構の一例を示す斜視図。
【図２】請求項１に記載の発明の一実施例による連結機構の断面図。
【図３】連結プラグの一部断面側面図。
【図４】連結プラグの背面図。
【図５】調整カップの断面図。
【図６】調整カップの背面図。
【符号の説明】
１  錠箱
３  フロント板
４  デッドカム
７  サムターン軸
８  サムターン
９  扉
１１  サムターン台座
１２  取付ねじ
１４  カム支持部材
１５  連結プラグ
１６  小径部
１７  大径部
２１  装着杆
２３  取付雌ねじ孔
２４  調整カップ
２５  扉外板
２６  雌ねじ部
２７  連結孔
２８  ねじ挿通孔
２９  サムターン駆動軸
３１  カプラー
【図１】
2004238938.tif 000003
【図２】
2004238938.tif 000004
【図３】
2004238938.tif 000005
【図４】
2004238938.tif 000006
【図５】
2004238938.tif 000007
【図６】
2004238938.tif 000008